(57)【要約】【課題】大画面の表示領域を有効に利用して各種メニューや機能を表示させると共に、各種メニューの選択や機能の実行を容易にして利便性を向上させる。【解決手段】タッチスクリーンから成るディスプレイ部１２０と、ディスプレイ部１２０の表示領域を第１表示領域１２２及び第２表示領域１２６に分割し、この分割部にメニューバー１２４を表示させ、ディスプレイ部１２０への使用者のタッチ操作によりメニューバー１２４を所定方向に移動させて分割された各領域の面積比率を変更させる制御部と、を含んで構成した。【選択図】図２
2008165735.tif 000002
【特許請求の範囲】
【請求項１】
タッチスクリーンから成るディスプレイ部と、
前記ディスプレイ部の表示領域を分割し、該ディスプレイ部への使用者のタッチ操作により前記表示領域を分割する境界部を所定方向に移動させて分割された各領域の面積比率を変更させる制御部と、
を含んで構成したことを特徴とする携帯端末機。
【請求項２】
前記境界部には、特定機能を実行させる少なくとも一つのメニュー実行ボタンを備えたメニューバーが表示されることを特徴とする請求項１に記載の携帯端末機。
【請求項３】
前記メニューバーは、ショートメッセージサービスを実行させる実行ボタンを備えたことを特徴とする請求項２に記載の携帯端末機。
【請求項４】
前記メニューバーは、キーパッド又はキーボードの形態の入力部を表示させる実行ボタンを備えたことを特徴とする請求項２に記載の携帯端末機。
【請求項５】
前記メニューバーは、複数のタスクを同時に実行させるマルチタスクの実行ボタンを備えたことを特徴とする請求項２に記載の携帯端末機。
【請求項６】
タッチスクリーンから成るディスプレイ部の表示領域を分割する過程と、
前記ディスプレイ部への使用者のタッチ操作により前記表示領域を分割する境界部を所定方向に移動させて分割された各領域の面積比率を変更させる過程と、
を含むことを特徴とする携帯端末機の画面表示方法。
【請求項７】
前記表示画面の分割部には、特定機能を実行させる少なくとも一つのメニュー実行ボタンを備えたメニューバーが表示されることを特徴とする請求項６に記載の携帯端末機の画面表示方法。
【請求項８】
前記メニューバーは、ショートメッセージサービスを実行させる実行ボタンを備えたことを特徴とする請求項７に記載の携帯端末機の画面表示方法。
【請求項９】
前記メニューバーは、キーパッド又はキーボードの形態の入力部を表示させる実行ボタンを備えたことを特徴とする請求項７に記載の携帯端末機の画面表示方法。
【請求項１０】
前記メニューバーは、複数のタスクを同時に実行させるマルチタスクの実行ボタンを備えたことを特徴とする請求項７に記載の携帯端末機の画面表示方法。
【発明の詳細な説明】
【技術分野】
【０００１】
本発明はタッチスクリーンを装備した携帯端末機及びその画面表示方法に関する。
【背景技術】
【０００２】
タッチスクリーンは、キーボードを使用することなく、画面から直接データや命令を入力することができる装置であって、画面（スクリーン）に表示された特定文字又は位置に人の指先又は物体（例えば、スタイラスペン）が当たると、その位置を感知して所定のプログラムを実行させるものである。
【０００３】
タッチスクリーンは、一般のモニタの画面にタッチパネルという装置を取り付けたものであり、タッチパネルは、画面の上下左右方向に赤外線が照射されるようにして、画面上に四角形の多数の赤外線格子を生成し、使用者がスタイラスペンや指先で画面をタッチしたとき、上記赤外線格子によりそのタッチを感知してタッチ位置を把握するようになっている。
【０００４】
従って、使用者がタッチスクリーン上に出力された文字又は絵をタッチすると、そのタッチされた部分の位置情報が制御部に伝達される。このとき、制御部は、入力した位置情報に基づいて使用者が何を選択したかを把握してそれに関する動作又は機能を実行する。このように、端末にタッチスクリーンを装備することにより、使用者が必要とする情報をより容易かつ迅速に提供することができる。
【０００５】
このような利便性のために、タッチスクリーンは、大衆が利用する地下鉄、デパート、銀行などに設置された案内端末機、又は各種店舗の販売端末機に装着されているだけでなく、ＰＤＡ（Personal Digital Assistants）や移動通信端末機などの携帯端末機のディスプレイとしても活用されている。
【０００６】
移動通信端末機の場合、それ自身のサイズが小さくて胴部の相当部分をキーパッドが占めており、ディスプレイ部を実装できる空間が限られている。そこで、端末メーカは、より大きい画面を使用したいという使用者の要求を満たすために、端末からキーパッドのハードウェアを除去し、キーパッドをタッチスクリーン上に表示させてソフトウェア的に動作させることにより大画面を実現していた。
【発明の開示】
【発明が解決しようとする課題】
【０００７】
しかし、画面は一つであるので、メニュー又は機能は一つだけしか表示することができず、大画面の有効利用という点において不十分であった。また、各種メニューは、ツリー形式に従って階層別に順次表示されるため、一画面ではメニューの選択や各種機能の実行が煩雑となり利便性に欠けるという問題があった。
【０００８】
そこで、本発明は、上記従来技術の問題点に対処して、大画面の表示領域を有効に利用して各種メニューや機能を表示させると共に、各種メニューの選択や機能の実行を容易にして利便性を向上させた携帯端末機及びその画面表示方法を提供することを目的とする。
【課題を解決するための手段】
【０００９】
上記の目的を達成するために、本発明の携帯端末機は、タッチスクリーンから成るディスプレイ部と、前記ディスプレイ部の表示領域を分割し、該ディスプレイ部への使用者のタッチ操作により前記表示領域を分割する境界部を所定方向に移動させて分割された各領域の面積比率を変更させる制御部と、を含んで構成した。
【００１０】
また、上記の目的を達成するために、本発明の携帯端末機の画面表示方法は、タッチスクリーンから成るディスプレイ部の表示領域を分割する過程と、前記ディスプレイ部への使用者のタッチ操作により前記表示領域を分割する境界部を所定方向に移動させて分割された各領域の面積比率を変更させる過程と、を含むものである。
【発明の効果】
【００１１】
本発明によれば、ディスプレイ部の表示領域を分割可能としたことにより、分割された各領域にそれぞれ異なるメニュー又は機能を表示することができる。また、分割された各領域の面積比率を自由に変えることができるようにしたことにより、表示させるメニュー又は機能に応じて分割された各領域を適当な大きさに設定することができる。したがって、大画面の表示領域を有効に使用することができる。
【００１２】
また、階層の異なる二つのメニューや異なる二つの機能の実行画面を分割された各領域にそれぞれ表示することができ、メニューの選択や各種機能の実行が容易となり利便性が向上する。
【発明を実施するための最良の形態】
【００１３】
以下、本発明の好ましい実施形態について添付の図面を参照して説明する。
図１は本発明の一実施形態による携帯端末機のブロック図である。また、図２は図１の携帯端末機の外観を示す平面図であり、（ａ）は画面構成を示し、（ｂ）は画面に表示されるメニューバーを拡大して示している。
【００１４】
図１に示すように、携帯端末機１００は、無線通信を行う無線通信部１１０と、携帯端末機１００の動作の状態及び結果を表示するディスプレイ部１２０と、放送信号を受信する放送受信部１３０と、各種情報を保存するメモリ部１４０と、音声信号及びオーディオ信号の入出力を行うオーディオ入出力部１５０と、上記各構成要素の動作を制御する制御部１６０とを含む。
【００１５】
無線通信部１１０は、アンテナＡＮＴを介して無線信号を受信又は送信する。上記無線信号は、音声、静止画像、動画像、テキストなどのタイプのデータを含む。また、無線通信部１１０は、送信する信号を変調してアンテナＡＮＴを介して送信する送信部と、受信された信号を復調する受信部とから構成される。
【００１６】
ディスプレイ部１２０は、画面にタッチされたことを感知してタッチされた部分の位置情報を出力するタッチパネルと、各種メニュー画面及び画像を表示する液晶表示装置（Liquid Crystal Display；ＬＣＤ）とを結合したタッチスクリーンにより実現される。従って、本発明におけるディスプレイ部１２０は、データを表示する出力装置としてだけでなく、使用者の命令が入力される入力装置としても使用される。すなわち、本発明の一実施形態による携帯端末機１００のディスプレイ部１２０は、タッチスクリーンを利用して使用者の命令が入力されるようにすると共に、各種メニュー画面及び画像を表示するようになっている。
【００１７】
ディスプレイ部１２０の表示領域は、図２（ａ）に示すように、第１表示領域１２２と第２表示領域１２６とに分割されており、第１表示領域１２２と第２表示領域１２６との境界部に上下方向に移動可能なメニューバー１２４が表示される。また、メニューバー１２４は、図２（ｂ）に示すように、端末の機能又はメニューを実行させる少なくとも１つのメニュー（実行）ボタン１２５を含む。
【００１８】
本発明においては、図２（ａ）に示すように、ディスプレイ部１２０の表示領域を上下に分割する水平のメニューバー１２４を開示しているが、ディスプレイ部１２０の表示領域を左右に分割する垂直のメニューバー（図示せず）を適用することもできる。この場合、この垂直のメニューバーは同図において左右方向に移動可能とされる。
【００１９】
放送受信部１３０は、制御部１６０の制御によって、衛星又は地上の基地局を介して送信される放送信号及び／又は放送に関する各種情報を受信するものである。
【００２０】
メモリ部１４０は、携帯端末機１００の動作に必要な諸プログラム及び各種データを保存し、携帯端末機１００の機能の実行により発生するデータを保存するものである。このようなメモリ部１４０は、携帯端末機１００の内部に実装された内部メモリ及び／又は携行可能で携帯端末機１００に着脱可能な外部メモリにより実現される。
【００２１】
オーディオ入出力部１５０は、音声信号又はオーディオ信号などが入力されるマイクと、携帯端末機１００の動作により発生する音声信号及びオーディオ信号を出力するスピーカとから構成されている。
【００２２】
制御部１６０は、ディスプレイ部１２０から受信した命令によって、携帯端末機１００の特定機能を実行させると共に、第１表示領域１２２と第２表示領域１２６との区画を変更するようにディスプレイ部１２０を制御する。
【００２３】
また、制御部１６０は、外部入力及び予め設定された設定情報に基づいてメニューバー１２４をディスプレイ部１２０に表示させる。具体的には、例えば、ディスプレイ部１２０は、待機画面を表示している状態で待機画面がタッチされたことを感知すると、タッチ入力があったことを制御部１６０に通知する。制御部１６０は、ディスプレイ部１２０からタッチ位置に関する位置情報を受信すると、予め設定して保存された設定情報に基づいてディスプレイ部１２０の上記タッチ位置又は所定位置にメニューバー１２４を表示させる。
【００２４】
また、制御部１６０は、待機画面状態で使用者によりドラッグ操作が行われると、ディスプレイ部１２０から受信したドラッグ操作方向及びドラッグ距離などに関する情報に基づいて、メニューバー１２４の表示位置を変更し、第１表示領域１２２と第２表示領域１２６との面積比率を変更する。
【００２５】
図３に示すように、使用者がディスプレイ部１２０の画面上で例えば指を使用して水平方向にドラッグ操作をすると、制御部１６０は、メニューバー１２４の表示位置を指がタッチされた位置に決定し、同位置に水平のメニューバー１２４を表示させて、このメニューバー１２４を境界部として画面を上下の二つの領域に分割するようにディスプレイ部１２０を制御してもよい。
【００２６】
図４は本発明の一実施形態による携帯端末機の動作を示すフローチャートである。
以下、図１、図２、図４、図５を参照して本発明の一実施形態による携帯端末機の動作について説明する。なお、以下の説明においては、メニューバー１２４が表示されている場合について述べる。
使用者によって画面がタッチされたことが感知されると（Ｓ１０において“ＹＥＳ”判定）、制御部１６０は、使用者がディスプレイ部１２０の画面上をドラッグ操作してメニューバー１２４を移動させたか否か、又は使用者がメニューバー１２４の実行ボタン１２５をタッチしたか否かを確認する。
【００２７】
使用者が画面上をドラッグ操作してメニューバー１２４を上下方向のいずれか一方に移動させた場合（Ｓ２０において“ＹＥＳ”判定）、ディスプレイ部１２０はその事実を制御部１６０に通知する。制御部１６０は、メニューバー１２４が移動された位置にディスプレイ部１２０の画面の分割境界を設定して上下に分割された第１表示領域１２２と第２表示領域１２６の大きさを変更する（Ｓ３０）。即ち、メニューバー１２４が移動された位置に第１表示領域１２２と第２表示領域１２６の分割境界が移動することにより、第２表示領域１２６は拡大又は縮小され、第１表示領域１２２は、第２表示領域１２６の拡大又は縮小された分だけ相対的に縮小又は拡大される。例えば、図５（ａ）に示すように、表示メニューに応じて使用者が第２表示領域１２６を拡大したいと望み、メニューバー１２４を第１表示領域１２２側にドラッグ操作して移動すると、制御部１６０は、その事実をディスプレイ部１２０から受信し、第１表示領域１２２及び第２表示領域１２６をメニューバー１２４の移動した分だけそれぞれ縮小及び拡大させる。
【００２８】
また、図５（ｂ）に示すように、メニューバー１２４（即ち、第１表示領域１２２と第２表示領域１２６との分割境界）が画面の最下部まで移動されると、画面には第１表示領域１２２のみが残り、第２表示領域１２６は無くなる。これにより、第１表示領域１２２を表示画面一杯に拡大することができ、例えばテレビ放送画面や写真を画面一杯に表示することができる。
【００２９】
一方、使用者がメニューバー１２４の実行ボタン１２５をタッチした場合（Ｓ４０において“ＹＥＳ”判定）、ディスプレイ部１２０はその事実を制御部１６０に通知し、制御部１６０は使用者がどのボタンをタッチしたかを確認して該当ボタンの機能又はメニューを実行させる（Ｓ５０）。
【００３０】
図６はメニューバーに備えられた実行ボタンの機能の一表示例を示す平面図であり、実行ボタンがショートメッセージサービス実行ボタンである場合の端末の画面を示すものである。
図６（ａ）に示すように、使用者がメニューバー１２４のショートメッセージサービス実行ボタン１２５にタッチした場合、ディスプレイ部１２０はこれを感知して感知した情報を制御部１６０に通知する。そして、制御部１６０は、上記選択されたショートメッセージサービスを実行し、ディスプレイ部１２０は制御部１６０の制御によって第１表示領域１２２にショートメッセージサービス実行画面を表示する。使用者が上記ショートメッセージサービス実行画面でメッセージ受信ボックスを選択すると、制御部１６０は、ディスプレイ部１２０の第１表示領域１２２にメッセージリストを出力させる。第１表示領域１２２に表示されたメッセージリストのいずれか１つが使用者により選択されると、制御部１６０は、上記選択されたメッセージが第２表示領域１２６に表示されるようにディスプレイ部１２０を制御する。
【００３１】
その後、使用者が確認したメッセージに対する返信メッセージを作成するためにメニュー操作により該当命令を入力すると、制御部１６０は該当命令によってメッセージ作成機能を実行させる。ここで、ディスプレイ部１２０は、図６（ｂ）に示すように、制御部１６０の制御によって、作成される返信メッセージの内容を第１表示領域１２２に表示し、返信メッセージを入力するためのキーパッドを第２表示領域１２６に表示する。
【００３２】
図７はメニューバーに備えられた実行ボタンの機能の第２の表示例を示す平面図であり、実行ボタンがフォトアルバム実行ボタンである場合の端末の画面を示すものである。
図７に示すように、使用者がメニューバー１２４のフォトアルバム実行ボタン１２５にタッチした場合、ディスプレイ部１２０はこれを感知して感知した情報を制御部１６０に通知する。そして、制御部１６０は、ディスプレイ部１２０がメモリ部１４０に保存された写真を第２表示領域１２６にサムネイル形式で表示するように制御する。本実施形態においては、写真をサムネイル形式で表示する例を挙げているが、リスト形式で表示することもできる。
【００３３】
また、第２表示領域１２２に表示された写真のいずれか１つがタッチされたことが感知されると、ディスプレイ部１２０はその事実を制御部１６０に通知する。ディスプレイ部１２０は、制御部１６０の制御によって、上記選択された写真を第１表示領域１２２に拡大して表示する。
【００３４】
図８はメニューバーに備えられた実行ボタンの機能の第３の表示例を示す平面図でありであり、上記実行ボタンが入力部実行ボタンである場合の端末の画面を示すものである。
図８に示すように、使用者がメニューバー１２４の入力部実行ボタン１２５にタッチした場合、ディスプレイ部１２０はこれを感知して感知した情報を制御部１６０に通知する。そして、制御部１６０は上記感知した情報に対応する機能を実行させ、ディスプレイ部１２０はそれによる実行画面を第２表示領域１２６に表示する。すなわち、ディスプレイ部１２０は、制御部１６０に制御されて第２表示領域１２６にキーパッド又はキーボードの形態の入力部を表示する。使用者はこの入力部を利用して、送信先電話番号や各種文字又はコマンドを入力することができる。
【００３５】
図９はメニューバーに備えられた実行ボタンの機能の第４の表示例を示す平面図であり、上記実行ボタンがマルチタスク実行ボタンである場合の端末の画面を示すものである。
図９に示すように、使用者がメニューバー１２４のマルチタスク実行ボタン１２５にタッチした場合、ディスプレイ部１２０はこれを感知して感知した情報を制御部１６０に通知する。そして、制御部１６０はマルチタスクが可能なタスクリストをメモリ部１４０から読み出し、上記タスクリストを第２表示領域１２６に表示させるようにディスプレイ部１２０を制御する。ここで、ディスプレイ部１２０は、制御部１６０の制御により、上記タスクリストをテキスト形式で羅列して表示するか、又はアイコン形式で表示することができる。
【００３６】
次に、使用者は上記タスクリストのうち同時に行う複数のタスクを選択することができる。例えば、使用者が上記タスクリストのうち放送視聴１２７とフォトアルバム１２９を選択すると、制御部１６０は放送受信部１３０の動作制御により放送信号を受信し、ディスプレイ部１２０は制御部１６０の制御によって上記放送信号を第１表示領域１２２に表示する。また、制御部１６０はメモリ部１４０に保存された写真リストにアクセスし、ディスプレイ部１２０は制御部１６０がアクセスした写真リストを第２表示領域１２６に表示する。ここで、上記写真リストは、写真名若しくはファイル名などをテキスト形式で表示するか、又はサムネイル形式で表示することができる。
【００３７】
なお、本第４の表示例においては、上記放送信号を第１表示領域１２２に表示し、上記タスクリストを第２表示領域１２６に表示する例を挙げているが、第１表示領域１２２にタスクリストを表示し、第２表示領域１２６に放送信号を表示することもできる。
【００３８】
本発明は、メニューバーの実行ボタンが上記機能を有するものに限られず、ＤＭＢ（Digital Multimedia Broadcasting）機能を実行するボタン、ｍｐ３音楽の歌詞（又は、外国語会話文）や電子書籍を表示するボタン、ゲームやウェブブラウザを実行するボタンなど、多様なボタン（又は、実行キー）をメニューバー１２４に追加することができる。
【００３９】
また、以上の説明においては、第１表示領域１２２と第２表示領域１２６との境界部にメニューバー１２４が表示される場合について述べたが、本発明はこれに限られず、上記境界部にはメニューバー１２４は表示させず、境界部が所定方向に移動可能としてもよい。この場合、表示画面の周辺にハードウェアのメニュー操作部を設けるとよい。
【００４０】
さらに、以上の説明においては、使用者によってディスプレイ部１２０がタッチされると表示画面が分割される場合について述べたが、本発明はこれに限られず、最初から面積比率が変更可能な二つの画面が分割表示されていてもよい。
【００４１】
以上、本発明は、図面に示す実施形態を参照して説明したが、これは例示にすぎず、本技術分野における通常の知識を有する者であればこれから多様な変形及び均等な他の実施形態が可能であることは自明である。従って、本発明の権利範囲は、添付した特許請求の範囲の技術的思想により決定されるべきである。
【図面の簡単な説明】
【００４２】
【図１】本発明の一実施形態による携帯端末機のブロック図である。
【図２】図１の携帯端末機の外観を示す平面図であり、（ａ）は画面構成を示し、（ｂ）は画面に表示されるメニューバーを拡大して示す。
【図３】上記携帯端末機において、メニューバーを表示させる動作を示す説明図である。
【図４】上記携帯端末機の動作を示すフローチャートである。
【図５】上記メニューバーの移動により、分割された各表示領域の面積比率の変化を示す説明図である。
【図６】上記メニューバーに備えられた実行ボタンの機能の一表示例を示す平面図である。
【図７】上記メニューバーに備えられた実行ボタンの機能の第２の表示例を示す平面図である。
【図８】上記メニューバーに備えられた実行ボタンの機能の第３の表示例を示す平面図である。
【図９】上記メニューバーに備えられた実行ボタンの機能の第４の表示例を示す平面図である。
【符号の説明】
【００４３】
１００…携帯端末機
１２０…ディスプレイ部
１２２…第１表示領域
１２４…メニューバー
１２５…実行ボタン
１２６…第２表示領域
１６０…制御部
【図１】
2008165735.tif 000003
【図２】
2008165735.tif 000004
【図３】
2008165735.tif 000005
【図４】
2008165735.tif 000006
【図５】
2008165735.tif 000007
【図６】
2008165735.tif 000008
【図７】
2008165735.tif 000009
【図８】
2008165735.tif 000010
【図９】
2008165735.tif 000011